(57)【要約】      （修正有）【課題】光信号によって運転者に車両後方の車両の状況を気づかせ、運転の安全性を向上させ、簡単な組立、簡単な構造、巧妙な設計、高い光利用率という利点を有し、ランプの明るさおよび均一性に対して益々増加している要求を満たし、車両の美しい外観に対する顧客の要求も満足できる車線死角警告灯を提供する。【解決手段】車線死角警告灯は、開口部と収容キャビティを有し、開口部が発光面を提供するハウジング４と、ハウジングの収容キャビティに配置され、少なくとも１つの光源７を含み、光源から発光面に向かって光線を出させる回路基板３と、光源によって放射された光の中の迷光を発光面に反射するために、光源と発光面との間に配置される少なくとも１つの反射板２と、を含む。【選択図】図１
0003223160.tif 000002
【実用新案登録請求の範囲】
【請求項１】
開口部と収容キャビティを有し、前記開口部は発光面を提供するように構成されるハウジング；前記ハウジングの収容キャビティに配置される、且つ少なくとも１つの光源を含み、前記少なくとも１つの光源は前記発光面に向かって配置されて前記少なくとも１つの光源から発光面に向かって光線を出させる回路基板；前記少なくとも１つの光源によって放射された光の中の迷光を発光面に反射するために、光源と発光面との間に順番に配置される少なくとも1つの反射板を含む車線死角警告灯。
【請求項２】
前記ハウジングは不透明なプラスチックハウジングであることを特徴とする請求項１に記載の車線死角警告灯。
【請求項３】
前記反射板には複数の反射面が設けられており、前記少なくとも１つの光源から発せられる光が前記反射板を通過する際に、迷光が複数の前記反射面を経て発光面へ反射されることを特徴とする請求項１に記載の車線死角警告灯。
【請求項４】
前記反射板はハウジングに一体化されていることを特徴とする請求項１又は３に記載の車線死角警告灯。
【請求項５】
前記ハウジングの開口部には、前記開口部を覆う接合部材が設けられ、前記接合部材には、前記発光面を提供するため、中空領域が設けられる、前記ハウジングは、前記接合部材によって、前記少なくとも１つの光源によって放射される光が発光面を経てバックミラーのミラー本体から放射されるように、バックミラーのミラー本体に接着されることを特徴とする請求項１に記載の車線死角警告灯。
【請求項６】
前記接合部材は、前記ハウジングと組み合わされる第１の面と、前記バックミラーのミラー本体と組み合わされる第２の面を備えることを特徴とする請求項５に記載の車線死角警告灯。
【請求項７】
前記中空領域はプリセット輪郭を有することを特徴とする請求項５に記載の車線死角警告灯。
【考案の詳細な説明】
【技術分野】
【０００１】
本考案は自動車部品の技術分野、特に自動車用ランプ、具体的に車線死角警告灯に関する。
【背景技術】
【０００２】
時代の発展と技術の進歩により、自動車は単なる乗り物ではなく、消費者は快適性と安全性を段階的に向上させている。バックミラーの視野が限られており、視野の盲目領域が限られているため、他の車両が視野の盲点に出現すると、事故の可能性が高まる。既存の車線警告装置は、発光方向を向いているアルミニウムめっきハウジングを経て光源を目標方向に向けて目標領域に光を反射するものである。しかしながら、製品自体の反射設計構造の制限のために、製品の光利用率は高くなく、そして明るさは運転者の要求を満たすことができない。消費者の運転経験に影響を与える。 製品は、アルミニウムめっきプロセス、困難な製品品質管理、および高い製品コストに対する高い精度要件を有する。
【考案の概要】
【考案が解決しようとする課題】
【０００３】
本考案の目的は、先行技術の欠点を目指して、簡単な組立、簡単な構造、巧妙な設計、高い光利用率、ランプの明るさおよび均一性に対して益々増加している要求を満たし、車両の美しい外観に対する顧客の要求も満足できる車線死角警告灯を提供することである。
【課題を解決するための手段】
【０００４】
上記目的を達成するため、本考案の車線死角警告灯は、以下の通り、開口部と収容キャビティを有し、前記開口部は発光面を提供するように構成されるハウジング；
【０００５】
前記ハウジングの収容キャビティに配置される、且つ少なくとも１つの光源を含み、前記少なくとも１つの光源は前記発光面に向かって配置されて前記少なくとも１つの光源から発光面に向かって光線を出させる回路基板；
【０００６】
前記少なくとも１つの光源によって放射された光の中の迷光を発光面に反射するために、光源と発光面との間に順番に配置される少なくとも1つの反射板を含む。
【０００７】
好ましくは、前記ハウジングは不透明なプラスチックハウジングである。
【０００８】
好ましくは、前記反射板には複数の反射面が設けられており、前記少なくとも１つの光源から発せられた光が前記反射板を通過する際に、迷光が複数の前記反射面を経て発光面に反射される。光の均一性と明るさを向上させる。
【０００９】
好ましくは、前記反射板はハウジングに一体化されている。
【００１０】
好ましくは、前記ハウジングの開口部には、前記開口部を覆う接合部材が設けられ、前記接合部材には、前記発光面を提供するため、中空領域が設けられる。 前記ハウジングは、前記接合部材によって、前記少なくとも１つの光源によって放射された光が発光面を経てバックミラーのミラー本体から放射されるように、バックミラーのミラー本体に接着される。
【００１１】
好ましくは、前記接合部材は、前記ハウジングと組み合わされる第１の面と、前記バックミラーのミラー本体と組み合わされる第２の面を備える。
【００１２】
好ましくは、前記中空領域はプリセット輪郭を有する。
【００１３】
本考案は，車線死角警告灯を採用し、光信号によって運転者に車両後方の車両の状況を思い出させ、運転の安全性を向上させ、簡単な組立、簡単な構造、巧妙な設計、高い光利用率という利点を有し、ランプの明るさおよび均一性に対して益々増加している要求を満たし、車両の美しい外観に対する顧客の要求も満足できる。
【図面の簡単な説明】
【００１４】
−
【図１】図1は、本考案の車線死角警告灯の第１実施形態の分解図である。
【図２】図２は、本考案の車線死角警告灯の第１実施形態を示す正面図である。
【図３】図３は、Ａ−Ａ線に沿った断面図である。
【図４】図4は、本考案の車線死角警告灯の第２実施形態の概略構成図である。
【考案を実施するための形態】
【００１５】
本考案の技術的な内容をより明確に説明するために、特定の実施形態に関連して以下にさらに説明する。
【００１６】
〜
図１〜図４に示すように、本考案の車線死角警告灯の一実施形態は、中空領域５設置されると、この中空領域５にプリセット輪郭備えらる接合部材１；複数の反射面６が設けられる反射板２；２つの光源７が設けられる、バックル等によりハウジング４に固定される回路基板３；開口部と収容キャビティを有する、開口部が発光面を提供する、収容キャビティが回路基板と反射板を収容するハウジング４を含む。
【００１７】
２つの光源７から発せられた光が反射板２を通過する際に、迷光が複数の反射面６を経て発光面に反射され、光の均一性が向上し、光の輝度が向上する。
【００１８】
本考案の車線死角警告灯は、回路基板上の光源７により光線を発し、その光線は反射板の反射面６を経て運転者に警告するための警告光を反射する。 その中に、本考案の車線死角警告灯の適用例としては、接合部材１によりハウジングがバックミラーの内側ミラーに接着されているため、光源から発せられた光が発光面を通過してバックミラーの透明ミラー本体から警告光を形成し、運転者に見える。
【００１９】
図１〜図４に示すように、回路基板３上には２つのＬＥＤ光源７が配置されており、ＬＥＤ光源から発せられた光は発光面の目標領域を直接に照らし、残りの光（迷光）も反射面６で反射された後、発光面の目標領域を照らす。 本考案はこれを制限せず、他の数および色のＬＥＤ光源は、実際の状況に従って設定することができる。
【００２０】
そこで、図１〜図４は、２種類の車線死角警告灯ハウジング１の外形輪郭を示しているが、ハウジング１の外形輪郭は唯一ではなく、需要に応じて他のスタイルに設計することができる。
【００２１】
本考案により提供される車線死角警告灯の実施形態では、ハウジングは不透明なプラスチック部材から成る。
【００２２】
本考案により提供される車線死角警告灯の実施形態では、反射面６をハウジングに一体化することができる。
【００２３】
本考案により提供される車線死角警告灯の実施形態では、前記ハウジングは、接合部材４によりバックミラーのミラー本体に接着されている。 前記接合部材は、ハウジングに結合される第１の面と、バックミラーのミラー本体に結合される第２の面を含む。 接合部材４は、両面接着性を有する接着テープであってもよい。
【００２４】
本考案により提供される車線死角警告灯の実施形態では、前記接合部材には中空領域５が設けられ、前記中空領域はプリセット輪郭を有する。 そこで、中空領域５は、内部光源から発せられた光と反射面で反射された光を透過させるものであり、その輪郭は唯一ではなく、実情に応じて決定すればよい。
【００２５】
本考案は，車線死角警告灯を採用し、光信号によって運転者に車両後方の車両の状況を思い出させ、運転の安全性を向上させ、簡単な組立、簡単な構造、巧妙な設計、高い光利用率という利点を有し、ランプの明るさおよび均一性に対して益々増加している要求を満たし、車両の美しい外観に対する顧客の要求も満足できる。
【００２６】
本明細書で、本考案はその特定の実施形態を参照して説明した。 しかしながら、本考案の本質および範囲から逸脱することなく様々な修正および変更を加えることができることは明らかである。 したがって、明細書および図面は例示的であり、限定的ではないと考えられるべきである。
【符号の説明】
【００２７】
1  接合部材
2  反射板
3  回路基板
4  ハウジング
5  中空領域
6  反射面
7  光源
【図１】
0003223160.tif 000003
【図２】
0003223160.tif 000004
【図３】
0003223160.tif 000005
【図４】
0003223160.tif 000006